(57)【要約】【課題】スプレーダンプナ装置のハウジング内の湿し水のミストがハウジングの外部に漏れ出すことを防止し、かつハウジングの外部から内部にインキミストなどの異物の侵入を防止すること。【解決手段】湿し水ローラに向けて開口を備えたハウジング６に、湿し水ローラ１の長手方向に並設され、湿し水ローラ１に湿し水をスプレーするスプレーノズル５を収容し、ハウジングの開口の上流端および下流端に湿し水ローラの表面に向いた開口２４を備えた上流側隔壁１８と下流側隔壁１９を備えており、各隔壁にはハウジング内に通じるドレインホール２２，２３が設けられている。これにより隔壁がミストを効果的に捕獲して液化するため、ハウジング内外のミストの流通を効果的に抑えられる。【選択図】図１
2010094928.tif 000002
【特許請求の範囲】
【請求項１】
湿し水ローラの長手方向に並設され、前記湿し水ローラに湿し水をスプレーするスプレーノズルと、前記スプレーノズルを収容し、前記湿し水ローラに向けて開口を備えたハウジングと、前記ハウジングの前記開口の端に前記湿し水ローラの表面に向けて開口を備えた隔壁を備えたことを特徴とするスプレーダンプナ装置。
【請求項２】
前記隔壁が複数の列からなることを特徴とする請求項１に記載のスプレーダンプナ装置。
【請求項３】
前記湿し水ローラの表面と、前記隔壁の端部の距離が０．５ｍｍから５．０ｍｍの範囲であることを特徴とする請求項１又は２に記載のスプレーダンプナ装置。
【請求項４】
前記隔壁は、前記ハウジングの内側に設けたことを特徴とする請求項１から請求項３のいずれかに記載のスプレーダンプナ装置。
【請求項５】
前記隔壁は、前記ハウジングの外側に設けたことを特徴とする請求項１から請求項３のいずれかに記載のスプレーダンプナ装置。
【請求項６】
前記隔壁は、前記ハウジングの内側と外側の両側に設けたことを特徴とする請求項１から請求項３のいずれかに記載のスプレーダンプナ装置。
【請求項７】
前記隔壁は、前記隔壁に滞留した液体を排出するドレイン部を備えていることを特徴とする請求項１から請求項６のいずれかに記載のスプレーダンプナ装置。
【請求項８】
前記隔壁に設けた前記ドレイン部は、液化した水を前記ハウジングの内部に誘導することを特徴とする請求項７に記載のスプレーダンプナ装置。
【発明の詳細な説明】
【技術分野】
【０００１】
本発明は、オフセット印刷機に使用されるスプレー方式の湿し水供給装置であるスプレーダンプナ装置に関するものである。
【背景技術】
【０００２】
オフセット印刷機は、版面の画線部にインキを付着させ、非画線部に湿し水を付着させることにより印刷を行う。版面に湿し水を付着させる装置は、ダンプナ装置と呼ばれる。ダンプナ装置には、動作原理の違いによって、いくつかの種類が存在する。代表的な種類は、湿し水スプレーを使用したスプレーダンプナである。スプレーダンプナは、スプレーノズルを備えており、スプレーノズルから湿し水ローラに向けて、湿し水をスプレー状に噴射する。
【０００３】
普及しているスプレーダンプナ装置の基本的な構造は、湿し水ローラに対向してスプレーノズルを一列に並べて、湿し水ローラに向けて湿し水をスプレーするようになっている。さらに、スプレーダンプナ装置は、スプレーノズルを囲むようにハウジングで覆われている。ハウジングの役割は、スプレーノズルからスプレーした湿し水が、周囲に飛散するのを防ぎ、かつハウジングの周囲に浮遊するインキミスト（霧状になったインキの粒子）がハウジングの中に入り込むのを防ぐところにある。
【０００４】
多量の湿し水のミストがハウジングの外部に飛散すると、印刷機の構成部品に付着して液化し、印刷用紙や印刷に使用するシリンダなどの印刷用紙の通過経路に滴下する。印刷用紙や印刷用紙の通過経路に滴下した水は、直ちに白抜けなどの印刷不良の原因になる。
【０００５】
インキミストがスプレーダンプナ装置のハウジング内に入り込むと、スプレーノズルの噴出し口付近に堆積し、設計とおりのスプレーパターンを維持できなくなる。スプレーパターンが変形すると、部分的な湿し水不足が起こり、地汚れなどの印刷不良の原因となる。
【０００６】
特許文献１及び特許文献２には、湿し水がスプレーダンプナ装置のハウジングの外部に飛散するのを防ぐ技術が記載されている。特許文献１に記載された技術は、ハウジングの内部を負圧に維持することで、目的を達成している。しかし、ここに示されたスプレーダンプナ装置は、負圧源が必要であり、かつ回収した湿し水を液化する機構が必要である。
【０００７】
特許文献２には、ハウジングの両端に設けたダクトから空気を噴出す機構を持ったダンプナ装置が示されている。ダクトから吹き出す空気は、湿し水のミストがハウジングの外部に漏れ出すのを防止する。しかし、ダンプナ装置を空気供給源と組み合わせなければならず、構成が複雑である。
【０００８】
特許文献３及び特許文献４には、不活性ガスがハウジングの外部に流出しないようにする紫外線照射装置が示されている。ここに示された装置は、ハウジング内とハウジング外の圧力の差を利用してハウジング内とハウジング外をシールする技術である。
【０００９】
【特許文献１】特開２０００−１４１５９６
【特許文献２】実開昭５５−０９４８３４
【特許文献３】特開２００８−１０４９５７
【特許文献４】特開２００８−０７３５９７
【発明の開示】
【発明が解決しようとする課題】
【００１０】
従来のスプレーダンプナ装置は、ハウジング内の湿し水のミストがハウジングの外に出ないようにしたり、スプレーダンプナ装置のハウジングの外部から内部にインキミストなどが侵入するのを防ぐための構成が複雑であるという課題があった。
本発明は、従来のスプレーダンプナ装置を改良し、スプレーダンプナ装置のハウジング内の湿し水のミストがハウジングの外部に漏れ出すことを防止し、かつハウジングの外部から内部にインキミストなどの異物の侵入を防止することを目的とする。
【課題を解決するための手段】
【００１１】
本発明に係るスプレーダンプナ装置は、湿し水ローラの長手方向に並設され、前記湿し水ローラに湿し水をスプレーするスプレーノズルと、前記スプレーノズルを収容し、前記湿し水ローラに向けて開口を備えたハウジングと、前記ハウジングの前記開口の端に前記湿し水ローラの表面に向けて開口を備えた隔壁を備えたことを特徴としている。
【００１２】
本発明は、次の構成（１）から（７）を包含する。
（１）隔壁が複数の列からなること。
（２）湿し水ローラの表面と隔壁の端部との距離が０．５ｍｍから５．０ｍｍの範囲であること。
（３）隔壁がハウジングの内側に設けられていること。
（４）隔壁がハウジングの外側に設けられていること。
（５）隔壁がハウジングの内側と外側の両側に設けられていること。
（６）隔壁は当該隔壁に滞留した液体を排出するドレイン部を備えていること。
（７）隔壁のドレイン部は液化した水をハウジングの内部に誘導すること。
【発明の効果】
【００１３】
請求項１に記載の発明によれば、スプレーダンプナ装置のハウジングに設けた隔壁がミストを効果的に捕獲して液化するため、ハウジング内とハウジング外のミストの流通を効果的に抑える。その結果、ハウジング内の湿し水のミストは、隔壁で捕獲され液化するためハウジングの外にほとんど流出しない。また、ハウジングの外に浮遊しているインキミストは、ほとんどハウジングの内部には侵入しない。この効果は、実験によって確かめることができる。
【００１４】
請求項２の発明によれば、隔壁が、複数の列から構成されている。この特徴により、幾分構造が複雑にはなるが、隔壁の効果はより完全になる。
【００１５】
請求項３の発明によれば、湿し水ローラの表面と隔壁の端部の距離は、隔壁の効果と密接な関係がある。実験によれば、距離は０．５ｍｍから５．０ｍｍの範囲がよく、望ましくは４．０ｍｍ以下が良い。しかし、５．０ｍｍを超えると、隔壁の効果は、あまり期待できないという結果を得た。
【００１６】
請求項４の発明によれば、隔壁は、ハウジングの内部に設けるようにした。そうすると、従来のスプレーダンプナ装置と、本発明のスプレーダンプナ装置の外形寸法を同じにすることができる。そのため、従来のスプレーダンプナ装置と容易に交換することが可能となる。
【００１７】
請求項５の発明によれば、隔壁は、ハウジングの外部に設けるようにした。このようにすると、従来のスプレーダンプナ装置と比較して、隔壁を設けた分外形寸法が大きくなる。しかし、スプレーダンプナ装置の外形寸法が増加しても、なお取り付けが可能であるならば、隔壁がハウジング内部のスプレーパターンを妨害することがないという利点がある。
【００１８】
請求項６の発明によれば、隔壁をハウジングの内側と外側にまたがるように設けた。これは、隔壁を付加したスプレーダンプナ装置であっても、スプレーダンプナの外形寸法の増加を少なくした。また、ハウジング内部で隔壁がスプレーパターンの障害となりにくい構造とした。
【００１９】
請求項７の発明によれば、隔壁に設けたドレイン部が、液化した水を隔壁の外に排出するようにした。その結果、隔壁で捕獲した水が不用意に印刷用紙や印刷用紙の経路に滴下することがない。
【００２０】
請求項８の発明によれば、隔壁に設けたドレイン部は、水をハウジングの内部に案内するようにした。もともとスプレーダンプナ装置は、ハウジングの内部に付着した湿し水を排出する構造を持っている。これは、ノズルからスプレーした湿し水は、一部が湿し水ローラの表面に到達しないためである。隔壁に設けたドレイン部が、水をハウジング内に案内すれば、もともとスプレーダンプナ装置が備えている湿し水を排出する構造を利用するこが可能になる。
【発明を実施するための最良の形態】
【００２１】
本発明の実施の形態を図面を参照しながら説明する。
【実施例１】
【００２２】
図１は、本発明の第１の実施形態の断面図である。１は湿し水ローラである。湿し水ローラ１は、矢印２に示すように、時計方向に回転する。３は、スプレーダンプナ装置である。５はスプレーノズルである。６は、ハウジングである。ハウジング６は、全体として長方形の箱になっている。スプレーノズル５は、ハウジング６の底板７に取り付けられている。
【００２３】
８はハウジング６の開口である。湿し水ローラ１の長さは、約１６００ｍｍである。ハウジング６の長さも、湿し水ローラ１とほぼ同じ長さがある。ハウジング６は、上流側の側板１０、下流側の側板１１、底板７、第１の横板１２及び図示はしないが横板１２と対向する第２の横板によって形成される。第１の横板１２及び第２の横板は、湿し水ローラ１の両端に配置される。スプレーノズル５は、湿し水ローラ１の長さ方向に沿って、均等な間隔で複数個並んでいる。
【００２４】
９は、ノズル５から放出されるスプレーミストである。スプレーミスト９は、開口８を通して開口８に露出した湿し水ローラ１の外周面４に到達する。１３は、排出ダクトである。排出ダクト１３は、ドレインパン１４と排水パイプ１５から構成されている。ドレインパン１４は、ハウジング６に沿って、ハウジング６とほぼ同じ長さがある。排出ダクト１３は、スプレーダンプナ装置３から排出される余剰水をすべてドレインパン１４で受け止めて排水パイプ１５から排水する。
【００２５】
１６、１７は、ハウジング６に設けられたドレインホールで、図示の如く液化した湿し水が溜まる場所に設けられている。スプレーノズル５から噴射されたスプレーミスト９は、一部はハウジング６の側板１０、１１などに付着し、液化する。ドレインホール１６、１７は、ハウジング６の内部で液化した湿し水を排出ダクト１３に案内する。ドレインホール１６、１７は、１個である必要はなく、複数個設けてよい。
【００２６】
１８は、上流側隔壁であり、１９は下流側隔壁である。上流側隔壁１８は、側板１０と、断面が英文字のＬに似た形状の壁板２０によって形成される。下流側隔壁１９は、側板１１と壁板２１によって形成されている。隔壁１８、１９は、ハウジング６と一体に形成され、ハウジング６とほぼ同じ長さがある。２２は、上流側隔壁１８に設けたドレイン部たるドレインホールであり、２３は下流側隔壁１９に設けたドレイン部たるドレインホールである。
【００２７】
図２は、図１に示した上流側隔壁１８を拡大したものである。下流側隔壁１９は、上流側隔壁１８とほぼ同じ構造で実現することができる。隔壁１８は、湿し水ローラ１の外周面４に向けて開口２４を形成している。回転する湿し水ローラ１の外周面４には、境界層が形成され、境界層はインキミストなどを含んでいる。隔壁１８は、ハウジング６の外部から内部に向けて引き込まれるインキミストなどを回収する。回収したミストは、液化した分はドレイン部２２からハウジング６の内部に案内する。そうすると、図１に示したドレインホール１６を通して、排出ダクト１３に至る。
【００２８】
上述の実施形態によれば、スプレーダンプナ装置３は、ハウジング６内の湿し水のミストがハウジング６の外に出ないようにすることができる。スプレーノズル５から放出された湿し水のミスト９のうち、湿し水ローラ１の外周４に到達しなかった分は、大部分はハウジング６の内部に付着し、液化する。そしてドレインホール１６から排出ダクト１３に至る。また、余分な湿し水のミストは、ハウジング６と湿し水ローラ１の外周面４との隙間を通してハウジング６の外部に流出しようとする。しかし、隔壁のよって、ほとんどの湿し水のミストは回収され、排出ダクト１３に至る。従って、スプレーダンプナ装置３から漏れ出した湿し水のミストがスプレーダンプナ装置３の外側で液化し、印刷用紙や印刷用紙の通過経路に不用意に滴下することを防止できる。
【００２９】
一方、ハウジング６の外部から内部に侵入しようとするインキミストも大部分は、隔壁に捕獲される。
図２に示した隔壁のうち、湿し水ローラ１の外周面４と隔壁１８の距離は、適切な距離が存在する。側板１０の端２５と外周面４の隙間をＧ１、壁板２０の端２６と外周面４の距離をＧ２とする。Ｇ１とＧ２の距離は、本発明の効果に影響がある。実験は、図１に示すノズルの部分に、１辺が２０ｍｍの白紙を固定し、実際に印刷機を所定の時間運転し、白紙に付着するインキミストの状態を目視で観察した。比較例は、本発明を実施する前の隔壁１８、１９を取り去ったスプレーダンプナ装置とした。この比較例では、Ｇ１のみが存在し、距離は３ｍｍとした。
【００３０】
まず比較例では、白紙にインキミストが付着するのが見られた。また、ハウジング６の周辺からは湿し水のミストの漏洩が目視でも確認できた。一方、本発明を実施し、Ｇ１、Ｇ２をいろいろな距離で実験した。その結果、Ｇ１、Ｇ２が６ｍｍでは、本発明を実施しない場合の比較例とあまり変わらないことが分かった。すなわち、白紙にはインキミストが付着し、かつ目視でも湿し水のミストの漏洩が確認できた。Ｇ１，Ｇ２を５ｍｍとすると、かなり改善され、隔壁の効果が確認できた。ただし、Ｇ１，Ｇ２の距離が５ｍｍの場合は、比較例と比較しての改善効果であり、より効果的なのはＧ１、Ｇ２が４ｍｍ以下のときであった。従って、Ｇ１，Ｇ２は５ｍｍ以下が良く、望ましくは４ｍｍ以下である。この距離は、図１に示した隔壁１８及び１９の両方に適用できる。
Ｇ１とＧ２は、できるだけ近いほうが良いが、実際には極端に近い距離にすることはできない。少なくとも、湿し水ローラ１の外周面４と隔壁の端は、いかなる場合も接触してはならない。しかし、印刷機は重量のあるシリンダ類が高速で回転しているため、印刷機自体の振動は避けられず、かつスプレーダンプナ装置は細長い構造体であることを考慮して、Ｇ１、Ｇ２は０．５ｍｍ以上であることが望ましい。
【００３１】
図３は、本発明の他の実施形態を示したものである。図３に示した上流側隔壁２７は、隔壁が２列になっている。第１列は、２８で示し、第２列は２９で示す。第１列２８は側板１０と隔壁３０によって形成され、第２列２９は、隔壁３０と隔壁３１で形成される。３２、３３は、ドレイン部たるドレインホールである。なお、ドレインホールは、３４、３５に示すように設けてもよく、それらを組み合わせても良い。第１列２８、第２列２９の隔壁で捕獲した水が、隔壁に滞留しないようになっていればよい。
図３のように、隔壁２７を第１列２８、第２列２９のように２列構造にすると、構造は複雑になるが、隔壁本来の機能であるシール効果を高めることが可能である。
【００３２】
図４は、本発明の第２の実施形態を示したものである。図１に示したスプレーダンプナ装置３との違いは、上流側隔壁３６、下流側隔壁３７が、ハウジング６の外側に設けられている点である。すなわち、側板１０を基準に、隔壁３６は、ハウジング６の外側にあり、側板１１を基準に、隔壁３７は、ハウジング６の外側にある。３８は、上流側隔壁３６のドレイン部であり、３９は下流側隔壁３７のドレイン部である。
【００３３】
図４に示すように、上流側隔壁３６、下流側隔壁３７をハウジング６の外側に設けることにより、ハウジング６の開口８が広くなる。もし、印刷機の側に場所が確保できるならば、隔壁が湿し水のスプレーミスト９を妨害することがないため好ましい。
【００３４】
図５は、本発明の第３の実施形態を示したものである。図１に示した実施形態との違いは、ハウジング６の開口端が上流側隔壁４０の位置と下流側隔壁４１の位置にある。上流側隔壁４０は、側板１０を中央に両側に設けた隔壁４４と隔壁４５によって形成されている。下流側隔壁４１は、側板１１を中央に両側に設けた隔壁４６と隔壁４７によって形成されている。４２は、上流側隔壁４０のドレイン部であり、４３は、下流側隔壁４１のドレイン部である。
本実施形態によれば、ハウジング６の外形寸法が隔壁４０、４１によって大きく変化することなしに、ハウジング６の開口８を広くすることが可能になる。
【００３５】
図６は、本発明の第４の実施形態を示したものである。図６に示した湿し水装置３は、ハウジング６がほぼ水平である場合の例である。４８は上流側隔壁であり、４９は下流側隔壁である。側板１０は、他の実施形態と同様である。壁板５０は、他の実施例と異なり、変形している。壁板５０は、ドレイン部たる溝５１を形成するように変形されている。溝５１は、隔壁４８で捕獲された水を滞留させる。溝５１に滞留した水は、図示はしないが、隔壁４８の端部に誘導し、ハウジング６の排水経路に合流させるようにするとよい。このような構成により、隔壁４８で捕獲した水が、湿し水ローラ１の外表面４や、他の部分に不用意に滴下することを防止することができる。
【００３６】
また、隔壁４９も同様に、側板１１は、隔壁４９内に溝５２が形成されている。溝５２に滞留した水は、図示はしないが隔壁４９の端からハウジング６内に誘導するようにするとよい。なお、隔壁４９を形成する壁板５３は、特に溝は必要とはしないが、スプレーミスト９の余剰ミストが付着したとき、不用意に湿し水ローラ１の外周面４に滴下しないようにすることが望ましい。このような構造により、隔壁４９で捕獲した水が、湿し水ローラ１の外表面４や、他の部分に不用意に滴下することを防止することができる。
【００３７】
図７は、図２に示した隔壁の変形例を示す部分拡大図である。壁板２０は、ハウジング６の側板１０に取り付けられている。図２に示したドレイン部２２は、側板１０に沿って底部６１に一列に設けた。しかし、図７に示すように、隔壁１８の端部に、ドレイン部６２として設けることもできる。この場合、より積極的に水を排出できるように、壁板２０の底部６１に傾斜をつけることができる。
【００３８】
なお、図１に示した排出ダクト１３は、液化した水が、印刷用紙又は印刷用紙の通過経路に不用意に滴下することを防止する役割があるので、通常は隔壁１８、１９のドレイン部の一部を構成する。しかし、水の不用意な滴下が防げれば足りるのであるから、印刷機によっては省略可能である。
また、各実施形態で説明した隔壁は、ドレイン部を積極的に設けたドレインホールとして図示した。しかし、隔壁は、板金加工あるいは合成樹脂加工で実現できるので、穴ではなく構造上の隙間で実現することは十分可能であるし、スリット状であっても実現可能である。
さらに、上流側隔壁と下流側隔壁が原則として対称であるように説明したが、隔壁と湿し水ローラの外周面との距離も含めて、構造は非対称形であっても構わない。
【図面の簡単な説明】
【００３９】
【図１】本発明に係るスプレーダンプナ装置の第１の実施形態の断面図である。
【図２】図１に示した上流側隔壁の拡大図である。
【図３】上流側隔壁の変形例を示す拡大図である。
【図４】本発明に係るスプレーダンプナ装置の第２の実施形態を示した断面図である。
【図５】本発明に係るスプレーダンプナ装置の第３の実施形態を示した断面図である。
【図６】本発明に係るスプレーダンプナ装置の第４の実施形態を示した断面図である。
【図７】図２に示した隔壁の変形例を示す部分拡大図である。
【符号の説明】
【００４０】
１    湿し水ローラ
３    スプレーダンプナ装置
５    スプレーノズル
６    ハウジング
７    底板
８    ハウジングの開口
９    スプレーミスト
１０  上流側の側板
１１  下流側の側板
１２  横板
１３  排出ダクト
１４  ドレインパン
１５  排水パイプ
１６，１７  ドレインホール
１８  上流側隔壁
１９  下流側隔壁
２０，２１  壁板
２２，２３  ドレインホール
２４  開口
【図１】
2010094928.tif 000003
【図２】
2010094928.tif 000004
【図３】
2010094928.tif 000005
【図４】
2010094928.tif 000006
【図５】
2010094928.tif 000007
【図６】
2010094928.tif 000008
【図７】
2010094928.tif 000009